(57)【要約】【課題】揺動軸受の軌道輪の早期剥離を防止することである。【解決手段】軸方向の一端部に鍔４を有する軌道輪１の軸方向他端側に、周方向全長にわたってころ２と接触しない拡張部６を設けて、この拡張部６に軸方向に切れ込む切欠き７を設け、この軌道輪１の切欠き７とハウジング１１の凹円弧状部１１ａに設けられたピン穴（係合凹部）１３とにピン（係合片）８を係合させて、軌道輪１のハウジング１１への位置決めを行うようにすることにより、軌道輪１の軌道面１ａから従来のような過大な面圧が発生する部位をなくして、軌道輪１の早期剥離を防止できるようにしたのである。【選択図】図１
2008082485.tif 000002
【特許請求の範囲】
【請求項１】
内径面に凹円弧状の軌道面が設けられ、外径面が凸円弧状に形成された軌道輪と、この軌道輪の軌道面に配列されて転動する複数のころとを備え、前記軌道輪がその外径面をハウジングの凹円弧状部に当接させた状態でハウジングに固定され、前記複数のころで可動部材の凸円弧状部を揺動自在に支持する揺動軸受において、前記軌道輪の少なくとも一方の軸方向端部を軸方向に拡張して前記ころと接触しない拡張部を設け、この拡張部に軸方向に切れ込む切欠きを設けて、前記軌道輪の切欠きと前記ハウジングの凹円弧状部に設けられた係合凹部とに係合片を係合させることにより、前記軌道輪が前記ハウジングの凹円弧状部に位置決めされるようにしたことを特徴とする揺動軸受。
【請求項２】
前記軌道輪の軸方向一端部に前記ころの軸方向移動を規制する鍔を設けるとともに、前記軌道輪の軸方向他端部を周方向全長にわたって拡張して前記拡張部を設けたことを特徴とする請求項１に記載の揺動軸受。
【発明の詳細な説明】
【技術分野】
【０００１】
本発明は、ハウジングに固定される軌道輪の凹円弧状の軌道面に複数のころを配列し、可動部材の凸円弧状部を揺動自在に支持する揺動軸受に関する。
【背景技術】
【０００２】
建設機械や農業機械等に使用される斜板式の油圧ポンプや油圧モータ等には、斜板等の可動部材を揺動自在に支持する揺動軸受が組み込まれている。この種の揺動軸受の一例を図３（ａ）、（ｂ）に示す（特許文献１参照。）。この揺動軸受は、ハウジング１１に固定される軌道輪１の凹円弧状の軌道面１ａに複数のころ２を保持器３に保持して配列し、その複数のころ２で斜板等の可動部材１２の凸円弧状部１２ａを揺動自在に支持するものである。その軌道輪１は、凸円弧状の外径面１ｂをハウジング１１の凹円弧状部１１ａに当接させ、外径面１ｂの周方向中心位置から垂直に突出させたピン突起５１を、ハウジング１１の凹円弧状部１１ａに設けられたピン穴５２に係合させることにより、ハウジング１１の凹円弧状部１１ａに位置決めされている。
【特許文献１】特開２００２−２８６０４１号公報（図２）
【０００３】
ところで、上記の揺動軸受では、そのピン突起５１がエンボス加工により形成されており、これに伴って軌道面１ａに凹部５３が形成されているため、ころ２が軌道面１ａの凹部５３上を転動するときに凹部５３の周縁部に過大な面圧が発生し、軌道輪１の早期剥離を生じる場合がある。
【発明の開示】
【発明が解決しようとする課題】
【０００４】
本発明の課題は、揺動軸受の軌道輪の早期剥離を防止することである。
【課題を解決するための手段】
【０００５】
上記の課題を解決するため、本発明は、内径面に凹円弧状の軌道面が設けられ、外径面が凸円弧状に形成された軌道輪と、この軌道輪の軌道面に配列されて転動する複数のころとを備え、前記軌道輪がその外径面をハウジングの凹円弧状部に当接させた状態でハウジングに固定され、前記複数のころで可動部材の凸円弧状部を揺動自在に支持する揺動軸受において、前記軌道輪の少なくとも一方の軸方向端部を軸方向に拡張して前記ころと接触しない拡張部を設け、この拡張部に軸方向に切れ込む切欠きを設けて、前記軌道輪の切欠きと前記ハウジングの凹円弧状部に設けられた係合凹部とに係合片を係合させることにより、前記軌道輪が前記ハウジングの凹円弧状部に位置決めされるようにした構成を採用した。
【０００６】
すなわち、軌道輪の軸方向端部にころと接触しない軸方向拡張部を設けて、この拡張部に軸方向に切れ込む切欠きを設け、この切欠きとハウジングの凹円弧状部の係合凹部とに係合片を係合させて、軌道輪のハウジングへの位置決めを行うようにすることにより、軌道輪の軌道面から従来のような過大な面圧が発生する部位をなくして、軌道輪の早期剥離を防止できるようにしたのである。
【０００７】
ここで、前記軌道輪の軸方向一端部に前記ころの軸方向移動を規制する鍔を設ける場合は、前記軌道輪の軸方向他端部を周方向全長にわたって拡張して前記拡張部を設けるようにすれば、軌道輪が製作しやすくなる。
【発明の効果】
【０００８】
本発明の揺動軸受は、上述したように、軌道輪の軸方向端部に、ころが転動する領域を避けて、ハウジングへの位置決め用の切欠きを設けたものであるから、軌道面から従来のような過大な面圧が発生する部位をなくすことができ、軌道輪の早期剥離を防止することができる。
【発明を実施するための最良の形態】
【０００９】
以下、図１および図２に基づき、本発明の実施形態を説明する。この揺動軸受は、図１（ａ）に示すように、内径面に凹円弧状の軌道面１ａが設けられ、外径面１ｂが凸円弧状に形成された軌道輪１と、軌道輪１の軌道面１ａに配列されて転動する複数のころ２と、これらのころ２を転動自在に保持する保持器３とからなり、軌道輪１がその外径面１ｂをハウジング１１の凹円弧状部１１ａに当接させた状態でハウジング１１に固定され、複数のころ２で可動部材１２の凸円弧状部１２ａを揺動自在に支持するようになっている。
【００１０】
図１（ｂ）および図２に示すように、前記軌道輪１は、鋼板のプレス成形品で、軌道面１ａの軸方向一端部に、ころ２の軸方向移動を規制する鍔４がフランジ曲げ加工で形成されており、軌道面１ａの周方向両端部には、保持器３の揺動を規制するストッパ５が曲げ加工で形成されている。また、その軸方向他端部は周方向全長にわたって軸方向に拡張され、ころ２と接触しない拡張部６が設けられている。そして、この拡張部６に、軸方向に切れ込む半円形の切欠き７が設けられている。
【００１１】
また、図２に示すように、ハウジング１１の凹円弧状部１１ａには、軌道輪１の切欠き７に対応する位置に円形のピン穴（係合凹部）１３が設けられている。そして、軌道輪１の切欠き７とハウジング１１のピン穴１３とに円筒形のピン（係合片）８が係合することにより、軌道輪１がハウジング１１の凹円弧状部１１ａに位置決めされ、周方向の動きを規制されている。
【００１２】
この揺動軸受は、上記の構成であり、軌道輪１の軸方向端部に、ころ２が転動する領域を避けて、ハウジング１１への位置決め用の切欠き７を設けたので、軌道面１ａに従来のような過大な面圧が発生する部位がなく、軌道輪１の早期剥離を生じるおそれが少ない。
【００１３】
なお、上述した実施形態では、軌道輪を製作しやすくするために、軸方向一端部に鍔を有する軌道輪の軸方向他端部を周方向全長にわたって拡張し、この拡張部に切欠きを設けるようにしたが、例えば、軌道輪両端部に鍔と周方向の一部で軸方向に張り出す拡張部とを設けて、各拡張部に切欠きを設ける等、切欠きがころ転動領域を避けて設けられれば、拡張部や切欠きの位置や形状については種々変更が可能である。
【図面の簡単な説明】
【００１４】
【図１】ａは実施形態の揺動軸受の縦断正面図、ｂはａのＩ−Ｉ線に沿った横断平面図
【図２】図１の軌道輪の位置決め方法を説明する分解斜視図
【図３】ａは従来の揺動軸受の縦断正面図、ｂはａの軌道輪の斜視図
【符号の説明】
【００１５】
１  軌道輪
１ａ  軌道面
１ｂ  外径面
２  ころ
３  保持器
４  鍔
５  ストッパ
６  拡張部
７  切欠き
８  ピン（係合片）
１１  ハウジング
１１ａ  凹円弧状部
１２  可動部材
１２ａ  凸円弧状部
１３  ピン穴（係合凹部）
【図１】
2008082485.tif 000003
【図２】
2008082485.tif 000004
【図３】
2008082485.tif 000005